【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
局のアップリンク送信のための周波数帯域幅の割当てを受信することと、
前記割り当てられた周波数帯域幅の一部が前記アップリンク送信に利用できないかどうかを決定することと、
前記割り当てられた周波数帯域幅の前記一部が利用できないかどうかに基づいて前記アップリンク送信を選択的に送信することと
を備え、前記アップリンク送信が、プリアンブルを有する物理層データユニット（ＰＰＤＵ）を送信することを含み、前記プリアンブルが、ａ）前記局から送信される各基本チャネルに複製される第１のトレーニングフィールドと、ｂ）前記局から送信される各基本チャネルに複製され、送信に使用される前記帯域幅を示す信号フィールドとを含む、方法。
【請求項２】
選択的に送信することが、前記割り当てられた周波数帯域幅の前記一部が利用できないとき、前記アップリンク送信を送信することを控えることを備える、請求項１に記載の方法。
【請求項３】
前記割当てが、前記局がアップリンクマルチユーザ多入力多出力（ＭＵ−ＭＩＭＯ）送信またはアップリンクマルチユーザ周波数分割多元接続（ＭＵ−ＦＤＭＡ）送信を使用して前記アップリンク送信を送信するための命令をさらに含む、請求項１に記載の方法。
【請求項４】
選択的に送信することが、前記割り当てられた帯域幅の利用可能な部分で、または前記割り当てられた帯域幅の前記利用可能な部分のサブセットで、送信することを備える、請求項１に記載の方法。
【請求項５】
前記プリアンブルが、前記送信周波数帯域幅全体を通じて送信される第２のトレーニングフィールドを含む、請求項１に記載の方法。
【請求項６】
前記アップリンク送信が、前記アップリンク送信に使用される前記割り当てられた周波数帯域幅の一部を示すプリアンブルデータ部分を送信することを備える、請求項１に記載の方法。
【請求項７】
前記アップリンク送信のための前記周波数帯域幅の前記割当てが、前記アップリンク送信のために１つまたは複数の事前指定チャネルを識別することによるものである、請求項１に記載の方法。
【請求項８】
選択的に送信することが、前記１つまたは複数の事前指定チャネルの少なくとも一部が利用できないとき、前記アップリンク送信を送信することを控えることを備える、請求項７に記載の方法。
【請求項９】
前記１つまたは複数の事前指定チャネルが、２０ＭＨｚ以下の帯域幅を有するチャネルを含む、請求項７に記載の方法。
【請求項１０】
前記アップリンク送信に使用される前記割り当てられた周波数帯域幅の一部を示す前記割当てを受信したことに応答してクリアツーセンド（ＣＴＳ）フレームを送信することをさらに備える、請求項１に記載の方法。
【請求項１１】
前記割り当てられた帯域幅の前記一部が、前記アップリンク送信に利用できないかどうかを決定することが、クリアチャネル評価が、前記割当てを受信した後の、および前記アップリンク送信を送信する前の時間期間中にビジー媒体を示すかどうかを決定することに基づいている、請求項１に記載の方法。
【請求項１２】
前記アップリンク送信を選択的に送信することが、前記クリアチャネル評価にさらに基づいて前記アップリンク送信を送信することを備える、請求項１１に記載の方法。
【請求項１３】
前記時間期間が、短フレーム間隔（ＳＩＦＳ：short inter-frame space）時間を備える、請求項１１に記載の方法。
【請求項１４】
ワイヤレス通信のための装置であって、
局のアップリンク送信のための周波数帯域幅の割当てを受信するように構成された受信機と、
前記割り当てられた周波数帯域幅の一部が前記アップリンク送信に利用できないかどうかを決定するように構成されたプロセッサと、
前記割り当てられた周波数帯域幅の前記一部が利用できないかどうかに基づいて前記アップリンク送信を選択的に送信するように構成された送信機と
を備え、前記アップリンク送信が、プリアンブルを有する物理層データユニット（ＰＰＤＵ）を送信することを含み、前記プリアンブルが、ａ）前記局から送信される各基本チャネルに複製される第１のトレーニングフィールドと、ｂ）前記局から送信される各基本チャネルに複製され、送信に使用される前記帯域幅を示す信号フィールドとを含む、装置。
【請求項１５】
前記送信機が、前記割り当てられた周波数帯域幅の前記一部が利用できないとき、前記アップリンク送信を送信することを控えるようにさらに構成される、請求項１４に記載の装置。
【請求項１６】
前記送信機が、前記割当てに基づいてアップリンクマルチユーザ多入力多出力（ＭＵ−ＭＩＭＯ）送信またはアップリンクマルチユーザ周波数分割多元接続（ＭＵ−ＦＤＭＡ）送信を使用して前記アップリンク送信を送信するようにさらに構成される、請求項１４に記載の装置。
【請求項１７】
前記送信機が、前記割り当てられた帯域幅の利用可能な部分で、または前記割り当てられた帯域幅の前記利用可能な部分のサブセットで、送信するようにさらに構成される、請求項１４に記載の装置。
【請求項１８】
前記プリアンブルが、前記送信周波数帯域幅全体を通じて送信される第２のトレーニングフィールドを含む、請求項１４に記載の装置。
【請求項１９】
前記アップリンク送信のための前記周波数帯域幅の前記割当てが、前記アップリンク送信のために１つまたは複数の事前指定チャネルを識別することによるものである、請求項１４に記載の装置。
【請求項２０】
前記送信機が、前記アップリンク送信に使用される前記割り当てられた周波数帯域幅の一部を示すプリアンブルデータ部分を送信するようにさらに構成される、請求項１４に記載の装置。
【請求項２１】
前記プロセッサが、クリアチャネル評価が、前記割当てを受信した後の、および前記アップリンク送信を送信する前の時間期間の間にビジー媒体を示すかどうかを決定するようにさらに構成され、前記クリアチャネル評価にさらに基づいて前記アップリンク送信を送信するようにさらに構成される場合、前記送信機、請求項１４に記載の装置。
【請求項２２】
ワイヤレス通信のための装置であって、
局のアップリンク送信のための周波数帯域幅の割当てを受信するための手段と、
前記割り当てられた周波数帯域幅の一部が前記アップリンク送信に利用できないかどうかを決定するための手段と、
前記割り当てられた周波数帯域幅の前記一部が利用できないかどうかに基づいて前記アップリンク送信を選択的に送信するための手段と
を備え、前記アップリンク送信が、プリアンブルを有する物理層データユニット（ＰＰＤＵ）を送信することを含み、前記プリアンブルが、ａ）前記局から送信される各基本チャネルに複製される第１のトレーニングフィールドと、ｂ）前記局から送信される各基本チャネルに複製され、送信に使用される前記帯域幅を示す信号フィールドとを含む、装置。
【請求項２３】
選択的に送信するための前記手段が、前記割り当てられた周波数帯域幅の前記一部が利用できないとき、前記アップリンク送信を送信することを控えるための手段を備える、請求項２２に記載の装置。
【請求項２４】
前記割当てが、前記局がアップリンクマルチユーザ多入力多出力（ＭＵ−ＭＩＭＯ）送信またはアップリンクマルチユーザ周波数分割多元接続（ＭＵ−ＦＤＭＡ）送信を使用して前記アップリンク送信を送信するための命令をさらに含む、請求項２２に記載の装置。
【請求項２５】
選択的に送信するための前記手段が、前記割り当てられた帯域幅の利用可能な部分で、または前記割り当てられた帯域幅の前記利用可能な部分のサブセットで、送信するための手段を備える、請求項２２に記載の装置。
【請求項２６】
前記プリアンブルが、前記送信周波数帯域幅全体を通じて送信される第２のトレーニングフィールドを含む、請求項２２に記載の装置。
【請求項２７】
選択的に送信するための前記手段が、前記アップリンク送信に使用される前記割り当てられた周波数帯域幅の一部を示す前記割当てを受信したことに応答してクリアツーセンド（ＣＴＳ）フレームを送信するための手段を備える、請求項２２に記載の装置。
【請求項２８】
前記割り当てられた帯域幅の前記一部が利用できないかどうかを決定するための前記手段が、クリアチャネル評価が、前記割当てを受信した後の、および前記アップリンク送信を送信する前の時間期間中にビジー媒体を示すかどうかを決定するための手段を備える、請求項２２に記載の装置。
【請求項２９】
前記選択的送信手段が、前記クリアチャネル評価にさらに基づいて前記アップリンク送信を送信するための手段を備える、請求項２８に記載の装置。
【請求項３０】
実行されると、プロセッサに、
局のアップリンク送信のための周波数帯域幅の割当てを受信し、
前記割り当てられた周波数帯域幅の一部が前記アップリンク送信に利用できないかどうかを決定し、
前記割り当てられた周波数帯域幅の前記一部が利用できないかどうかに基づいて前記アップリンク送信を選択的に送信する
方法を行わせる命令を備え、
前記アップリンク送信が、プリアンブルを有する物理層データユニット（ＰＰＤＵ）を送信することを含み、前記プリアンブルが、ａ）前記局から送信される各基本チャネルに複製される第１のトレーニングフィールドと、ｂ）前記局から送信される各基本チャネルに複製され、送信に使用される前記帯域幅を示す信号フィールドとを含む、非一時的コンピュータ可読媒体。
【請求項３１】
選択的に送信することが、前記割り当てられた周波数帯域幅の前記一部が利用できないとき、前記アップリンク送信を送信することを控えることを備える、請求項３０に記載の媒体。
【請求項３２】
前記割当てが、前記局がアップリンクマルチユーザ多入力多出力（ＭＵ−ＭＩＭＯ）送信またはアップリンクマルチユーザ周波数分割多元接続（ＭＵ−ＦＤＭＡ）送信を使用して前記アップリンク送信を送信するための命令をさらに含む、請求項３０に記載の媒体。
【請求項３３】
選択的に送信することが、前記割り当てられた帯域幅の利用可能な部分で、または前記割り当てられた帯域幅の前記利用可能な部分のサブセットで、送信することを備える、請求項３０に記載の媒体。
【請求項３４】
前記プリアンブルが、前記送信周波数帯域幅全体を通じて送信される第２のトレーニングフィールドを含む、請求項３０に記載の媒体。
【請求項３５】
前記アップリンク送信のための前記周波数帯域幅の前記割当てが、前記アップリンク送信のために１つまたは複数の事前指定チャネルを識別することによるものである、請求項３０に記載の媒体。
【請求項３６】
選択的に送信することが、前記１つまたは複数の事前指定チャネルの少なくとも一部が利用できないとき、前記アップリンク送信を送信することを控えることを備える、請求項３５に記載の媒体。
【手続補正２】
【補正対象書類名】明細書
【補正対象項目名】００６５
【補正方法】変更
【補正の内容】
【００６５】
[0073]上記は、本開示の態様を対象とするが、本開示の基本的な範囲を逸脱することなく、本開示の他の態様およびさらなる態様が考案されてよく、本開示の範囲は以下の特許請求の範囲によって決定される。
以下に本願発明の当初の特許請求の範囲に記載された発明を付記する。
［Ｃ１］
ワイヤレス通信のための方法であって、
局のアップリンク送信のための周波数帯域幅の割当てを受信することと、
前記割り当てられた周波数帯域幅の一部が前記アップリンク送信に利用できないかどうかを決定することと、
前記割り当てられた周波数帯域幅の前記一部が利用できないかどうかに基づいて前記アップリンク送信を選択的に送信することとを備える、方法。
［Ｃ２］
選択的に送信することが、前記割り当てられた周波数帯域幅の前記一部が利用できないとき、前記アップリンク送信を送信することを控えることを備える、Ｃ１に記載の方法。
［Ｃ３］
前記割当てが、前記局がアップリンクマルチユーザ多入力多出力（ＭＵ−ＭＩＭＯ）送信またはアップリンクマルチユーザ周波数分割多元接続（ＭＵ−ＦＤＭＡ）送信を使用して前記アップリンク送信を送信するための命令をさらに含む、Ｃ１に記載の方法。
［Ｃ４］
選択的に送信することが、前記割り当てられた帯域幅の利用可能な部分で、または前記割り当てられた帯域幅の前記利用可能な部分のサブセットで、送信することを備える、Ｃ１に記載の方法。
［Ｃ５］
前記アップリンク送信が、プリアンブルを有する物理層データユニット（ＰＰＤＵ）を送信することを含み、前記プリアンブルが、ａ）前記局から送信される各基本チャネルに複製されるショートトレーニングフィールドと、ｂ）前記局から送信される各基本チャネルに複製され、送信に使用される前記帯域幅を示す信号フィールドと、ｃ）前記送信周波数帯域幅全体を通じて送信されるロングトレーニングフィールドとを含む、Ｃ１に記載の方法。
［Ｃ６］
前記アップリンク送信が、前記アップリンク送信に使用される前記割り当てられた周波数帯域幅の一部を示すプリアンブルデータ部分を送信することを備える、Ｃ１に記載の方法。
［Ｃ７］
前記アップリンク送信のための前記周波数帯域幅の前記割当てが、前記アップリンク送信のために１つまたは複数の事前指定チャネルを識別することによるものである、Ｃ１に記載の方法。
［Ｃ８］
選択的に送信することが、前記１つまたは複数の事前指定チャネルの少なくとも一部が利用できないとき、前記アップリンク送信を送信することを控えることを備える、Ｃ７に記載の方法。
［Ｃ９］
前記１つまたは複数の事前指定チャネルが、２０ＭＨｚ以下の帯域幅を有するチャネルを含む、Ｃ７に記載の方法。
［Ｃ１０］
前記アップリンク送信に使用される前記割り当てられた周波数帯域幅の一部を示す前記割当てを受信したことに応答してクリアツーセンド（ＣＴＳ）フレームを送信することをさらに備える、Ｃ１に記載の方法。
［Ｃ１１］
前記割り当てられた帯域幅の前記一部が、前記アップリンク送信に利用できないかどうかを決定することが、クリアチャネル評価が、前記割当てを受信した後の、および前記アップリンク送信を送信する前の時間期間中にビジー媒体を示すかどうかを決定することに基づいている、Ｃ１に記載の方法。
［Ｃ１２］
前記アップリンク送信を選択的に送信することが、前記クリアチャネル評価にさらに基づいて前記アップリンク送信を送信することを備える、Ｃ１１に記載の方法。
［Ｃ１３］
前記時間期間が、短フレーム間隔（ＳＩＦＳ：short inter-frame space）時間を備える、Ｃ１１に記載の方法。
［Ｃ１４］
ワイヤレス通信のための装置であって、
局のアップリンク送信のための周波数帯域幅の割当てを受信するように構成された受信機と、
前記割り当てられた周波数帯域幅の一部が前記アップリンク送信に利用できないかどうかを決定するように構成されたプロセッサと、
前記割り当てられた周波数帯域幅の前記一部が利用できないかどうかに基づいて前記アップリンク送信を選択的に送信するように構成された送信機とを備える、装置。
［Ｃ１５］
前記送信機が、前記割り当てられた周波数帯域幅の前記一部が利用できないとき、前記アップリンク送信を送信することを控えるようにさらに構成される、Ｃ１４に記載の装置。
［Ｃ１６］
前記送信機が、前記割当てに基づいてアップリンクマルチユーザ多入力多出力（ＭＵ−ＭＩＭＯ）送信またはアップリンクマルチユーザ周波数分割多元接続（ＭＵ−ＦＤＭＡ）送信を使用して前記アップリンク送信を送信するようにさらに構成される、Ｃ１４に記載の装置。
［Ｃ１７］
前記送信機が、前記割り当てられた帯域幅の利用可能な部分で、または前記割り当てられた帯域幅の前記利用可能な部分のサブセットで、送信するようにさらに構成される、Ｃ１４に記載の装置。
［Ｃ１８］
前記送信機が、プリアンブルを有する物理層データユニット（ＰＰＤＵ）を送信することによって前記アップリンク送信を送信するようにさらに構成され、前記プリアンブルが、ａ）前記局から送信される各基本チャネルに複製されるショートトレーニングフィールドと、ｂ）前記局から送信される各基本チャネルに複製され、送信に使用される前記帯域幅を示す信号フィールドと、ｃ）前記送信周波数帯域幅全体を通じて送信されるロングトレーニングフィールドとを含む、Ｃ１４に記載の装置。
［Ｃ１９］
前記アップリンク送信のための前記周波数帯域幅の前記割当てが、前記アップリンク送信のために１つまたは複数の事前指定チャネルを識別することによるものである、Ｃ１４に記載の装置。
［Ｃ２０］
前記送信機が、前記アップリンク送信に使用される前記割り当てられた周波数帯域幅の一部を示すプリアンブルデータ部分を送信するようにさらに構成される、Ｃ１４に記載の装置。
［Ｃ２１］
前記プロセッサが、クリアチャネル評価が、前記割当てを受信した後の、および前記アップリンク送信を送信する前の時間期間の間にビジー媒体を示すかどうかを決定するようにさらに構成され、前記クリアチャネル評価にさらに基づいて前記アップリンク送信を送信するようにさらに構成される場合、前記送信機、Ｃ１４に記載の装置。
［Ｃ２２］
ワイヤレス通信のための装置であって、
局のアップリンク送信のための周波数帯域幅の割当てを受信するための手段と、
前記割り当てられた周波数帯域幅の一部が前記アップリンク送信に利用できないかどうかを決定するための手段と、
前記割り当てられた周波数帯域幅の前記一部が利用できないかどうかに基づいて前記アップリンク送信を選択的に送信するための手段とを備える、装置。
［Ｃ２３］
選択的に送信するための前記手段が、前記割り当てられた周波数帯域幅の前記一部が利用できないとき、前記アップリンク送信を送信することを控えるための手段を備える、Ｃ２２に記載の装置。
［Ｃ２４］
前記割当てが、前記局がアップリンクマルチユーザ多入力多出力（ＭＵ−ＭＩＭＯ）送信またはアップリンクマルチユーザ周波数分割多元接続（ＭＵ−ＦＤＭＡ）送信を使用して前記アップリンク送信を送信するための命令をさらに含む、Ｃ２２に記載の装置。
［Ｃ２５］
選択的に送信するための前記手段が、前記割り当てられた帯域幅の利用可能な部分で、または前記割り当てられた帯域幅の前記利用可能な部分のサブセットで、送信するための手段を備える、Ｃ２２に記載の装置。
［Ｃ２６］
前記アップリンク送信が、プリアンブルを有する物理層データユニット（ＰＰＤＵ）を送信することを含み、前記プリアンブルが、ａ）前記局から送信される各基本チャネルに複製されるショートトレーニングフィールドと、ｂ）前記局から送信される各基本チャネルに複製され、送信に使用される前記帯域幅を示す信号フィールドと、ｃ）前記送信周波数帯域幅全体を通じて送信されるロングトレーニングフィールドとを含む、Ｃ２２に記載の装置。
［Ｃ２７］
選択的に送信するための前記手段が、前記アップリンク送信に使用される前記割り当てられた周波数帯域幅の一部を示す前記割当てを受信したことに応答してクリアツーセンド（ＣＴＳ）フレームを送信するための手段を備える、Ｃ２２に記載の装置。
［Ｃ２８］
前記割り当てられた帯域幅の前記一部が利用できないかどうかを決定するための前記手段が、クリアチャネル評価が、前記割当てを受信した後の、および前記アップリンク送信を送信する前の時間期間中にビジー媒体を示すかどうかを決定するための手段を備える、Ｃ２２に記載の装置。
［Ｃ２９］
前記選択的送信手段が、前記クリアチャネル評価にさらに基づいて前記アップリンク送信を送信するための手段を備える、Ｃ２８に記載の装置。
［Ｃ３０］
実行されると、プロセッサに、
局のアップリンク送信のための周波数帯域幅の割当てを受信し、
前記割り当てられた周波数帯域幅の一部が前記アップリンク送信に利用できないかどうかを決定し、
前記割り当てられた周波数帯域幅の前記一部が利用できないかどうかに基づいて前記アップリンク送信を選択的に送信する方法を行わせる命令を備える非一時的コンピュータ可読媒体。
［Ｃ３１］
選択的に送信することが、前記割り当てられた周波数帯域幅の前記一部が利用できないとき、前記アップリンク送信を送信することを控えることを備える、Ｃ３０に記載の媒体。
［Ｃ３２］
前記割当てが、前記局がアップリンクマルチユーザ多入力多出力（ＭＵ−ＭＩＭＯ）送信またはアップリンクマルチユーザ周波数分割多元接続（ＭＵ−ＦＤＭＡ）送信を使用して前記アップリンク送信を送信するための命令をさらに含む、Ｃ３０に記載の媒体。
［Ｃ３３］
選択的に送信することが、前記割り当てられた帯域幅の利用可能な部分で、または前記割り当てられた帯域幅の前記利用可能な部分のサブセットで、送信することを備える、Ｃ３０に記載の媒体。
［Ｃ３４］
前記アップリンク送信が、プリアンブルを有する物理層データユニット（ＰＰＤＵ）を送信することを含み、前記プリアンブルが、ａ）前記局から送信される各基本チャネルに複製されるショートトレーニングフィールドと、ｂ）前記局から送信される各基本チャネルに複製され、送信に使用される前記帯域幅を示す信号フィールドと、ｃ）前記送信周波数帯域幅全体を通じて送信されるロングトレーニングフィールドとを含む、Ｃ３０に記載の媒体。
［Ｃ３５］
前記アップリンク送信のための前記周波数帯域幅の前記割当てが、前記アップリンク送信のために１つまたは複数の事前指定チャネルを識別することによるものである、Ｃ３０に記載の媒体。
［Ｃ３６］
選択的に送信することが、前記１つまたは複数の事前指定チャネルの少なくとも一部が利用できないとき、前記アップリンク送信を送信することを控えることを備える、Ｃ３５に記載の媒体。